(57)【特許請求の範囲】
【請求項１】
ケース前側面に、ディスクカートリッジ（１）用の出入口（１２）が開口してある薄形角箱状の収納ケースであって、
収納ケースは、上面にインデックスカード（１３）用の装填口（１７）が開口してあるケース本体（１０）と、ケース本体（１０）に支持されて装填口（１７）を開閉可能に閉止する蓋体（１１）とを含み、
蓋体（１１）は、前後に長い長穴で形成した左右一対の軸受穴（２４）と、両軸受穴（２４）に係合する左右一対の軸（２３）とを介してケース本体（１０）に連結されていて、
蓋体（１１）が、装填口（１７）を閉止する閉じ位置と、全体が軸受穴（２４）に沿って出入口（１２）から遠ざかる向きにスライド移動した開放待機位置と、開放待機位置において上開き揺動して、装填口（１７）の全体を開放する開放位置とに変位できるようケース本体（１０）で支持されており、
蓋体（１１）とケース本体（１０）との間には、蓋体（１１）が閉じ位置にあるとき、蓋体（１１）が前記軸（２３）を中心にして上開き揺動するのを規制すると同時に、蓋体（１１）が開放待機位置にスライド移動するのを規制するための蓋ロック（２６）が設けられており、
蓋体（１１）を蓋ロック（２６）の弾性係合力に抗して開放待機位置へスライド操作した状態において、蓋ロック（２６）のロック状態を解除できるよう構成してあるディスクカートリッジ用の収納ケース。
【請求項２】
蓋ロック（２６）が、ロック片（２７）と、ロック片（２７）に落ち込み係合するロック爪（２８）とで構成されており、
ロック片（２７）とロック爪（２８）のいずれか一方がケース本体（１０）の左右側壁（１５）の内面に突設され、他方が蓋体（１１）の主面壁（２０）の内面に突設してある請求項１記載のディスクカートリッジ用の収納ケース。
【請求項３】
蓋体（１１）が装填口（１７）を閉止する主面壁（２０）と、主面壁（２０）の後部両側の内面に設けた左右一対の脚壁（２１）を含んで構成されており、両脚壁（２１）とケース本体（１０）の左右側壁（１５）のそれぞれに、軸（２３）と軸受穴（２４）とが設けられており、
ディスクカートリッジ（１）の周縁に設けた凹部（６）と弾性係合して、ディスクカートリッジ（１）の抜け出しを防ぐロック体（３１）が、前記両脚壁（２１）とケース本体（１０）の左右側壁（１５）とのいずれか一方に形成した装着穴（３２）に圧嵌固定してある請求項１又は２記載のディスクカートリッジ用の収納ケース。
【請求項４】
ケース本体（１０）の左右側壁（１５）の内面に、蓋体（１１）の脚壁（２１）が隣接配置されており、
脚壁（２１）の上半部外側面に軸（２３）を突設し、脚壁（２１）の下半部にロック体（３１）が圧嵌装着されており、
ケース本体（１０）の後壁（１６）および底壁（１４）に、脚壁（２１）との接当干渉を防ぐ逃げ溝（２５）が形成してある請求項１又は２又は３記載のディスクカートリッジ用の収納ケース。
【発明の詳細な説明】
【０００１】
【発明の属する技術分野】
本発明は、光ディスクや磁気ディスクに代表される、ディスク状の信号記録媒体をケース内に収めてカートリッジ化してあるディスクカートリッジ用の収納ケースに関する。
【０００２】
【従来の技術】
この種の収納ケースには各種の形態があり、例えば磁気テープカートリッジや、磁気ディスクカートリッジ用として、各種の収納ケースが実用化されている。ディスクカートリッジ用の収納ケースとしては、図８に示すものが実用に供されていて公知である。このディスクカートリッジは、直径値が6.４cmの光磁気ディスク４０を薄い角箱状のカートリッジケース４１に収めた、いわゆるミニディスク（以下単に、ＭＤという）４２であって、音や映像の信号あるいはコンピュータ情報等の記録媒体として広く使用されている。
【０００３】
ＭＤ用の収納ケースは、互いに圧嵌連結される上ケース４３と下ケース４４とで薄い角箱状に形成してあり、四周側面の一方の長辺部の側に出入口４５が開口してある。収納ケースの取り扱い時にＭＤ４２が出入口４５から滑り落ちるのを防ぐために、下ケース４４の固有側壁の内奥寄りに一対のロック体４６を配置している。ロック体４６は、カートリッジケース４１の下面両側に設けてある位置決め用の凹部４７と係合して、ＭＤ４２の滑落を防止する。
【０００４】
【発明が解決しようとする課題】
上記の収納ケースは、ＭＤ４２を出入口４５からケース内に差し込み装填し、あるいはＭＤ４２をロック体４６の弾性力に抗してケース外へ抜き出すだけで、ＭＤ４２の出し入れを容易に行える。問題は、インデックスカードが収納ケースの外面を覆う状態で添付してあるため、包装フィルムを開封し廃棄してしまうと、インデックスカードの保存場所がなく、タイトルラベル等を使用するまでの間インデックスカードを別途保存しなければならず、紛失しやすい点にある。インデックスカードの周縁を切り落とすことによって、カード全体を収納ケース内に収容し保存することは不可能ではないが、出入口４５の上下間隔が５〜６mm程度と小さいため、インデックスカードの出し入れは容易ではない。インデックスカードを出し入れする際に、カードの一部がケース内奥のロック体４６に引っ掛かる不利も避けられない。
【０００５】
本発明の目的は、従来のＭＤ用の収納ケースと同様に、ディスクカートリッジを出入口から出し入れする収納ケースでありながら、インデックスカードをディスクカートリッジと共にケース内に収納できる、ディスクカートリッジ用の収納ケースを提供することにある。
本発明の目的は、収納ケースがケース本体と、ケース本体に対して上開き揺動できる蓋体とで構成してあって、通常使用時には蓋体を開き操作不能にロック固定できるが、インデックスカードを出し入れする際にはロック状態を解除してケース本体の上面を開放でき、従ってインデックスカードの出し入れを簡単に行える、ディスクカートリッジ用の収納ケースを提供することにある。
本発明の目的は、ＭＤ用の収納ケースとして好適であり、ＭＤの滑落を防ぐロック体をケースに対してより簡単に組み付けることができるディスクカートリッジ用の収納ケースを提供することにある。
【０００６】
【課題を解決するための手段】
本発明の収納ケースは、四周側面のいずれか一個所に、ディスクカートリッジ１用の出入口１２が開口してある薄形角箱状の収納ケースからなる。収納ケースは、上面にインデックスカード１３用の装填口１７が開口してあるケース本体１０と、ケース本体１０に支持されて装填口１７を開閉可能に閉止する蓋体１１とを含む。蓋体１１は、前後に長い長穴で形成した左右一対の軸受穴２４と、両軸受穴２４に係合する左右一対の軸２３とを介してケース本体１０に連結されている。蓋体１１は、装填口１７を閉止する閉じ位置と、軸受穴２４に沿って出入口１２から遠ざかる向きにスライド移動する開放待機位置と、軸受穴２４の後端において上開き揺動して、装填口１７の全体を開放する開放位置とに変位できるようケース本体１０で支持する。蓋体１１を閉じ位置に係合保持する蓋ロック２６を、蓋体１１とケース本体１０との間に設ける。蓋体１１を蓋ロック２６の弾性係合力に抗して開放待機位置へスライド操作した状態において、蓋ロック２６のロック状態を解除できるよう構成する。
【０００７】
具体的には、蓋ロック２６を、ロック片２７と、ロック片２７に落ち込み係合するロック爪２８とで構成し、ロック片２７とロック爪２８のいずれか一方をケース本体１０の左右側壁１５の内面に突設し、他方を蓋体１１の主面壁２０の内面に突設する。
【０００８】
蓋体１１は装填口１７を閉止する主面壁２０と、主面壁２０の後部両側の内面に設けた左右一対の脚壁２１を含んで構成する。両脚壁２１とケース本体１０の左右側壁１５のそれぞれに、軸２３と軸受穴２４とを設ける。ディスクカートリッジ１の周縁に設けた凹部６と弾性係合して、ディスクカートリッジ１の抜け出しを防ぐロック体３１を、前記両脚壁２１とケース本体１０の左右側壁１５とのいずれか一方に形成した装着穴３２に圧嵌固定する。
【０００９】
ケース本体１０の左右側壁１５の内面に、蓋体１１の脚壁２１を隣接配置する。脚壁２１の上半部外側面に軸２３を突設し、脚壁２１の下半部にロック体３１を圧嵌装着する。ケース本体１０の後壁１６および底壁１４に、脚壁２１との接当干渉を防ぐ逃げ溝２５を形成する。
【００１０】
【作用】
収納ケースを、上面に装填口１７が開口されたケース本体１０と、装填口１７を揺動開閉する蓋体１１とで構成するので、ディスクカートリッジ１を収納ケースから抜き取った後、蓋体１１を開き操作して装填口１７の全体を開放することにより、インデックスカード１３を収納ケース内へ容易に収納でき、必要時には容易にケース外へ取り出すことができる。蓋体１１が自重で開いたり、落下衝撃を受けて容易に開くのを防止し、収納ケースを従来ケースと同様に取り扱えるようにするために、ケース本体１０と蓋体１１との間に蓋ロック２６を設け、使用者の明確な意図がない限りは、蓋体１１を開放できないようにしている。
【００１１】
ロック片２７と、ロック片２７に係合するロック爪２８とで構成した蓋ロック２６は、ロック片２７とロック爪２８のいずれか一方をケース本体１０に、他方を蓋体１１に、それぞれ一体にプラスチック成形できる。
【００１２】
蓋体１１の一対の脚壁２１と、ケース本体１０の左右側壁１５とのいずれか一方の装着穴３２にディスクカートリッジ１用のロック体３１を圧嵌固定する収納ケースによれば、ロック体３１を蓋体１１あるいはケース本体１０に先組み一体化できるので、蓋体１１とケース本体１０を組む際に、ロック体３１が装着穴３２から抜け出るのを確実に阻止して、組み付け作業を容易に行える。
【００１３】
ケース本体１０に脚壁２１との接当干渉を防ぐ逃げ溝２５で形成した収納ケースによれば、収納ケースの上下寸法を増加する必要もなく、蓋体１１を揺動開放可能に支持でき、脚壁２１の下半部にロック体３１を支障なく装着して、従来の収納ケースと同じ収納姿勢で、ディスクカートリッジ１を収納ケースに収容できる。
【００１４】
【実施例】
（実施例１）
図１ないし図５に本発明をＭＤ（ディスクカートリッジ）１用の収納ケースに適用した実施例を示す。図２においてＭＤ１は、光磁気ディスク２を薄角箱状のカートリッジケース３に収めて構成されており、カートリッジケース３の上下両面の一側に開口した信号読み取り窓４を、シャッター５でスライド開閉できるよう構成してある。カートリッジケース３の下ハーフの両側後部には、位置決め用の凹部６が半長円状に形成してある。
【００１５】
図１および図２において、収納ケースはケース本体１０と蓋体１１とで薄形角箱状に構成してあり、ケース前側面にＭＤ１用の出入口１２が開口してある。収納ケースの内部には、ＭＤ１と共にインデックスカード１３を収容できる。
【００１６】
ケース本体１０は、底壁１４と、左右一対の側壁１５・１５と、後壁１６を一体に形成したプラスチック成形品からなり、ケース上面の全体をインデックスカード１３用の装填口１７として開口する。図３に示すように、底壁１４と両側壁１５の内面側の隣接隅部には、それぞれ階段状の規制壁１８を突設する。一対の規制壁１８の対向間隔は、ＭＤ１の左右幅寸法に余裕隙間を加えた値に設定してあって、ＭＤ１を収納ケースに容易に出し入れできながら、収納ケースに収めた状態では、ＭＤ１が不必要に遊動することがないように設けてある。後壁１６の高さ寸法は、左右側壁１５の高さ寸法より小さく設定しておく。蓋体１１を開放揺動するとき、蓋体１１の主面壁２０が後壁１６と接当干渉するのを避けるためである。
【００１７】
蓋体１１は、装填口１７の全体を上面側から閉止する主面壁２０と、主面壁２０の後端両側の下面側に突設した左右一対の脚壁２１と、脚壁２１に連続して主面壁２０の後縁下面に突設した蓋後壁２２とを一体に形成したプラスチック成形品からなり、透明ないし半透明のプラスチック材で形成する。
【００１８】
ケース本体１０の内面に沿って配置したインデックスカード１３を容易に出し入れするために、蓋体１１をケース本体１０に対して次のように連結し、先の装填口１７を蓋体１１で開閉する。図５に示すように、蓋体１１の左右の脚壁２１の上半部外面にそれぞれ軸２３を突設し、ケース本体１０の左右側壁１５の後端上部に設けた軸受穴２４で軸２３を支持する。軸受穴２４は前後に長い長穴で形成する。これにより、蓋体１１は主面壁２０が左右側壁１５の上端面で受け止められて、装填口１７を完全に閉止する閉じ位置と、全体が軸受穴２４に沿って出入口１２から遠ざかる向きにスライド移動した開放待機位置と、全体が軸２３を中心にして上開き揺動して、装填口１７を開放する開放位置とに変位できる。蓋体１１が揺動開閉するとき、脚壁２１がケース本体１０と接当干渉するのを防ぐために、ケース本体１０の後壁１６と底壁１４とにわたって逃げ溝２５を形成する。
【００１９】
上記の蓋体１１を閉じ位置において係合保持するために、ケース本体１０と蓋体１１との間に蓋ロック２６を設ける。図１および図３に示すように、蓋ロック２６は、蓋体１１の主面壁２０の下面両側寄りに突設した断面Ｌ字形のロック片２７と、ケース本体１０の左右側壁１５の内面上端に突設したロック爪２８とからなる。ロック爪２８は断面が逆台形状の突起からなり、ロック片２７の水平の壁部に、ロック爪２８が落ち込み係合する逆台形断面状のロック凹部２９を凹み形成する。ロック爪２８は左右側壁１５の出入口１２寄りの前部と、過半後部との合計４個所に設け、ロック爪２８と同数のロック片２７を主面壁２０の対応位置に設ける。ロック爪２８をケース本体１０と一体に成形するために、規制壁１８の上面壁に型抜き穴が開口される。
【００２０】
閉じ位置において、ロック爪２８はロック凹部２９に落ち込み係合しており（図３参照）、軸２３は軸受穴２４の前端に位置している。蓋体１１の蓋後壁２２は、ケース本体１０の後壁１６と共同してケース後面を閉止している。この状態から、蓋体１１をケース後方へ押し込み操作すると、ロック片２７を弾性変形させながら、ロック凹部２９がロック爪２８の下面に乗り上がり、やがてロック片２７の前端がロック爪２８を乗り越えてロック爪２８より後方に位置し、開放待機位置に切り換わる。このとき、軸２３は軸受穴２４の後端に位置している。
【００２１】
上記の開放待機位置においては、蓋体１１を軸２３を中心にして自由に上開き操作でき、主面壁２０は水平姿勢から９０度ないし９０度強揺動した位置まで起立揺動できる。このように、蓋体１１を起立開放した状態では、装填口１７の全体が開放されるので、インデックスカード１３のケース本体１０に対する出し入れを容易に行うことができる。蓋体１１は、上記の手順を逆にたどることによって閉じ位置に戻すことができ、閉じ位置においては、ロック片２７がロック爪２８で受け止められており、さらに蓋後壁２２が後壁１６と近接対向しているので、蓋体１１を上方へ開き揺動できない。
【００２２】
インデックスカード１３は、剥離台紙の片面に、タイトルラベルや、記録内容の詳細を書き込むためのラベル等を配置し、剥離台紙の他面に使用上の注意書き等を印刷して形成してある。図例では、ケース本体１０の底壁１４と後壁１６とに沿う紙面で形成したインデックスカード１３を示したが、両紙面に連続して蓋体１１の主面壁２０に沿う紙面を備えていてもよい。インデックスカード１３の左右幅寸法は、ＭＤ１の左右幅寸法と一致させておく。
【００２３】
収納ケースの取り扱い時にＭＤ１が収納ケースから滑落するのを防ぐために、蓋体１１の左右の脚壁２１のそれぞれにロック体３１を設ける。図５に示すようにロック体３１は、コ字枠状の基部３１ａと、基部３１ａに連続する突弧状の弾性腕３１ｂを一体に形成したプラスチック成形品からなり、脚壁２１の下半部に通設した装着穴３２に基部３１ａを圧嵌固定して、脚壁２１と一体化される。装着状態において、弾性腕３１ｂは図４に示すようにＭＤ１の凹部６に外側方から係合できる。基部３１ａの外面は脚壁２１の外側面と同一面かこれより僅かに内側に位置しており、従って、蓋体１１を揺動開閉するとき、基部３１ａがケース本体１０の左右側壁１５に引っ掛かることはない。
【００２４】
以上のように構成した収納ケースは、インデックスカード１３をＭＤ１と共に収納ケースに収容した状態で販売でき、包装用のフィルムを開封し廃棄した場合であっても、インデックスカード１３を紛失することがない。ＭＤ１はインデックスカード１３を収容した状態のままで、出入口１２から支障なく抜き差しできる。インデックスカード１３を使用する場合には、ＭＤ１を抜き出した後、先に説明した要領で蓋体１１を開き操作して装填口１７を開放する。
【００２５】
収納ケースの組み付けは、ロック体３１を蓋体１１の脚壁２１に圧嵌固定したのち脚壁２１に設けた軸２３をケース本体１０の軸受穴２４に差し込み係合することで終了できる。このように、小形部品であるロック体３１を脚壁２１に圧嵌固定して先組みする組み付け形態によれば、蓋体１１をケース本体１０と組む際に、ロック体３１が装着穴３２から脱落したり、外部衝撃等を受けて組み付け姿勢が変わるのを防止でき、従来の収納ケースに比べて組み立て作業を簡単に行える。
【００２６】
（実施例２）
図６は本発明に係る収納ケースの実施例２を示す。そこでは、以下の点が実施例１と異なる。図６に示すように、ケース本体１０の左右側壁１５の後部をケース内側方へ段落ち状に凹ませて連結段部３４を設け、連結段部３４の外側面に蓋体１１の脚壁２１を隣接配置した。実施例１とは逆に、連結段部３４の外面に軸２３を突設し、前後に長い軸受穴２４を左右の脚壁２１に通設した。必要があれば軸受穴２４を有底溝状に形成してもよい。脚壁２１をケース外面に設けると、逃げ溝２５を省略できる。左右側壁１５の連結段部３４を脚壁２１よりケース内側方に設けるので、この実施例２では連結段部３４に実施例１と同様の装着穴３２を設けておき、連結段部３４にロック体３１を圧嵌固定する。
【００２７】
実施例１および２から理解できるように、軸２３と軸受穴２４は、脚壁２１と左右側壁１５のいずれの側にでも設けることができる。さらに、ロック体３１は脚壁２１と左右側壁１５のうち、ケース内方に位置する壁面に設けることになる。
【００２８】
（実施例３）
蓋ロック２６は図７に示すように変更できる。すなわち、断面台形状のロック凹部２９を備えたロック爪２８をケース本体１０の左右側壁１５に設け、ロック凹部２９に落ち込み係合する断面台形状のロック片２７を蓋体１１の主面壁２０に設けるのである。なお、ロック片２７とロック爪２８の係合部形状は、断面台形状である必要はなく、断面半円形や半球形等に変更できる。
【００２９】
上記以外に、装填口１７はケース本体１０の上面全体に開口してあることが好ましいが、必要があれば、出入口１２の側に左右側壁１５を橋絡する幅狭の上面壁を設け、他の部分を開口して装填口１７とすることができる。ケース本体１０の後壁１６を省略し、蓋後壁２２を底壁１４の後端と近接対向させることができる。本発明の収納ケースは、ＭＤ以外の例えば光ディスクカートリッジ用の収納ケースに適用できる。
【００３０】
【発明の効果】
本発明の収納ケースは、四周側面の一個所に設けた出入口１２から、ディスクカートリッジ１を収納ケースに出し入れする基本形態を維持しながら、蓋体１１を後方スライドした後、上方へ開放揺動して、ケース上面の装填口１７を開放し、この装填口１７からインデックスカード１３を出し入れできるようにしたので、インデックスカード１３を収納ケースに収容した紛失しにくい状態で販売できるうえ、インデックスカード１３の収納ケースに対する出し入れを容易に行うことができ、とくに、ＭＤ等の小形のディスクカートリッジであっても、簡単にインデックスカード１３を出し入れできる。
【図面の簡単な説明】
【図１】蓋体の開放途中状態を示す収納ケースの中央縦断側面図である。
【図２】収納ケースの内部構造を示す横断平面図である。
【図３】図２におけるＡ−Ａ線断面図である。
【図４】図２におけるＢ−Ｂ線断面図である。
【図５】蓋体とケース本体の連結部構造を示す分解斜視図である。
【図６】実施例２に係る収納ケースの要部横断平面図である。
【図７】実施例３に係る蓋ロック構造を示す要部縦断側面図である。
【図８】従来の収納ケースの一部破断平面図である。
【符号の説明】
１  ディスクカートリッジ
１０  ケース本体
１１  蓋体
１２  出入口
１３  インデックスカード
１５  ケース本体の側壁
１７  装填口
２３  軸
２４  軸受穴
２６  蓋ロック
２７  ロック片
２８  ロック爪
３１  ロック体
【図１】
0003755680.tif 000002
【図２】
0003755680.tif 000003
【図３】
0003755680.tif 000004
【図４】
0003755680.tif 000005
【図５】
0003755680.tif 000006
【図６】
0003755680.tif 000007
【図７】
0003755680.tif 000008
【図８】
0003755680.tif 000009